(57)【特許請求の範囲】
【請求項１】
複数の着信履歴データを保存可能な着信履歴データ保存手段と、
この着信履歴データ保存手段が保存している着信履歴データの件数が保存可能な最大件数に達している状況において他の着信が発生したときに、前記着信履歴データ保存手段が保存している着信履歴データのうちのいずれかの着信履歴データを削除し、前記他の着信に係る着信履歴データを前記着信履歴データ保存手段に保存可能な制御手段とを備えた通信端末において、
少なくとも前記着信履歴データ保存手段が保存している着信履歴データのうちの通常着信の着信履歴データを優先して削除する方法および前記着信履歴データ保存手段が保存している着信履歴データのうちの不在着信の着信履歴データを優先して削除する方法を一覧表示するディスプレイと、
前記ディスプレイに一覧表示されている前記複数の方法のうちのいずれかの方法を指定可能な削除方法指定手段を備え、
前記制御手段は、前記削除方法指定手段が指定した方法に基づいて前記着信履歴データ保存手段が保存している着信履歴データのうちの削除する着信履歴データを決定し、その決定した着信履歴データを削除することを特徴とする通信端末。
【請求項２】
前記ディスプレイは、少なくとも前記着信履歴データ保存手段が保存している着信履歴データのうちの着信日時が最も古い通常着信の着信履歴データを優先して削除する方法および前記着信履歴データ保存手段が保存している着信履歴データのうちの着信日時が最も古い不在着信の着信履歴データを優先して削除する方法を一覧表示することを特徴とする請求項１記載の通信端末。
【請求項３】
前記ディスプレイは、少なくとも前記着信履歴データ保存手段が保存している着信履歴データのうちの着信日時が最も古い通常着信の着信履歴データを優先して削除する方法、前記着信履歴データ保存手段が保存している着信履歴データのうちの着信日時が最も古い不在着信の着信履歴データを優先して削除する方法および前記着信履歴データ保存手段が保存している着信履歴データのうちの着信日時が最も古い通常着信或いは不在着信の着信履歴データを優先して削除する方法を一覧表示することを特徴とする請求項１記載の通信端末。
【発明の詳細な説明】
【０００１】
【発明の属する技術分野】
本発明は、複数の着信履歴データを保存可能な例えば携帯電話機などの通信端末に関する。
【０００２】
【発明が解決しようとする課題】
近年、電気通信技術の進歩に伴って、携帯電話機や簡易型の携帯電話機（ＰＨＳ：Personal Handyphone System）などの通信端末が広く普及している。さて、携帯電話機を例にして説明すると、携帯電話機は、一般的には、過去に発生した着信に対して、着信した日時を示す着信日時、相手先の電話番号を示す相手先電話番号、着信に対して応答したか否かを示す着信種別などを着信履歴データとして保存する着信履歴機能を備えている。
【０００３】
このものによれば、ユーザは、着信履歴データを読出すことにより、過去に発生した着信に対して、着信日時、相手先電話番号、着信種別などを確認することができ、これにより、例えば着信に対して応答しなかった相手がいるか否かを確認することができ、着信に対して応答しなかった相手がいれば、その相手先電話番号を確認し、その相手に発信することができる。
【０００４】
ところで、この場合、着信履歴データを保存可能な件数にはある程度の限界がある。そのため、着信履歴データを保存可能な件数である最大件数が例えば２０件であると仮定すると、保存している着信履歴の件数が最大件数である２０件に達しているときに、新たに他の着信が発生すると、２０件の着信履歴データのうちの着信日時が最も古い着信履歴データを削除し、新たに発生した他の着信に係る着信履歴データを保存するようになっている。
【０００５】
しかしながら、従来のものでは、着信日時が最も古い着信履歴データを削除するに際しては、着信に対して応答したことを示す通常着信の着信履歴データ、着信に対して応答しなかったことを示す不在着信の着信履歴データを区別することなく削除するようになっている。
【０００６】
そのため、ユーザが、例えば着信に対して応答しなかった相手を確認できるように、通常着信の着信履歴データを優先して削除することにより、不在着信の着信履歴データを優先して継続して保存しておくことを要望しても、その要望に対して応じることは不可能である。また、これとは逆に、例えば着信に対して応答した相手を確認できるように、不在着信の着信履歴データを優先して削除することにより、通常着信の着信履歴データを優先して継続して保存しておくことを要望しても、その要望に対して応じることは不可能である。
【０００７】
本発明は、上記した事情に鑑みてなされたものであり、その目的は、不在着信の着信履歴データおよび通常着信の着信履歴データのうちのいずれかの着信履歴データを優先して継続して保存しておくことができ、それにより、使い勝手の向上を図ることができる通信端末を提供することにある。
【０００８】
【課題を解決するための手段】
請求項１記載の通信端末によれば、ディスプレイは、少なくとも着信履歴データ保存手段が保存している着信履歴データのうちの通常着信の着信履歴データを優先して削除する方法および着信履歴データ保存手段が保存している着信履歴データのうちの不在着信の着信履歴データを優先して削除する方法を一覧表示し、削除方法指定手段は、ディスプレイに一覧表示されている前記複数の方法のうちのいずれかの方法を指定する。そして、制御手段は、着信履歴データ保存手段が保存している着信履歴データの件数が保存可能な最大件数に達している状況において他の着信が発生すると、着信履歴データ保存手段が保存している着信履歴データのうちのいずれかの着信履歴データを、上記削除方法指定手段が指定した方法に基づいて削除し、他の着信に係る着信履歴データを着信履歴データ保存手段に保存する。
【０００９】
すなわち、このものによれば、通常着信の着信履歴データおよび不在着信の着信履歴データを混在して保存している状況では、通常着信の着信履歴データを優先して削除する方法を指定すると、通常着信の着信履歴データを優先して削除するので、その結果として、不在着信の着信履歴データを優先して継続して保存しておくことができる。また、これとは逆に、不在着信の着信履歴データを優先して削除する方法を指定すると、不在着信の着信履歴データを優先して削除するので、その結果として、通常着信の着信履歴データを優先して継続して保存しておくことができる。
【００１０】
したがって、ユーザの要望に応じて、不在着信の着信履歴データおよび通常着信の着信履歴データのうちのいずれかの着信履歴データを優先して継続して保存しておくことができ、使い勝手の向上を図ることができる。
【００１１】
請求項２記載の通信端末によれば、ディスプレイは、少なくとも着信履歴データ保存手段が保存している着信履歴データのうちの着信日時が最も古い通常着信の着信履歴データを優先して削除する方法および着信履歴データ保存手段が保存している着信履歴データのうちの着信日時が最も古い不在着信の着信履歴データを優先して削除する方法を一覧表示する。
【００１２】
すなわち、このものによれば、通常着信の着信履歴データおよび不在着信の着信履歴データを混在して保存している状況では、着信日時が最も古い通常着信の着信履歴データを優先して削除する方法を指定すると、着信日時が最も古い通常着信の着信履歴データを優先して削除するので、その結果として、着信日時が新しい不在着信の着信履歴データを優先して継続して保存しておくことができる。また、これとは逆に、着信日時が最も古い不在着信の着信履歴データを優先して削除する方法を指定すると、着信日時が最も古い不在着信の着信履歴データを優先して削除するので、その結果として、着信日時が新しい通常着信の着信履歴データを優先して継続して保存しておくことができる。
【００１３】
したがって、ユーザの要望に応じて、着信日時が新しい不在着信の着信履歴データおよび着信日時が新しい通常着信の着信履歴データのうちのいずれかの着信履歴データを優先して継続して保存しておくことができ、使い勝手の向上をさらに図ることができる。
【００１４】
請求項３記載の通信端末によれば、ディスプレイは、着信履歴データ保存手段が保存している着信履歴データのうちの着信日時が最も古い通常着信の着信履歴データを優先して削除する方法、着信履歴データ保存手段が保存している着信履歴データのうちの着信日時が最も古い不在着信の着信履歴データを優先して削除する方法および着信履歴データ保存手段が保存している着信履歴データのうちの着信日時が最も古い通常着信或いは不在着信の着信履歴データを優先して削除する方法を一覧表示する。
【００１５】
すなわち、このものによれば、通常着信の着信履歴データおよび不在着信の着信履歴データを混在して保存している状況では、上記した請求項２に記載したように、着信日時が新しい不在着信の着信履歴データを優先して継続して保存しておくことができ、また、着信日時が新しい通常着信の着信履歴データを優先して継続して保存しておくことができる上に、着信日時が最も古い通常着信或いは不在着信の着信履歴データを優先して削除する方法を指定すると、通常着信であるか不在着信であるかに拘らず、着信日時が最も古い着信履歴データを優先して削除するので、その結果として、着信日時が新しい着信履歴データを優先して継続して保存しておくことができる。
【００１６】
したがって、ユーザの要望に応じて、着信日時が新しい不在着信の着信履歴データ、着信日時が新しい通常着信の着信履歴データおよび通常着信であるか不在着信であるかに拘らず着信日時が新しい着信履歴データを優先して継続して保存しておくことができ、使い勝手の向上をさらに図ることができる。
【００３５】
【発明の実施の形態】
以下、本発明を携帯電話機に適用した一実施例について、図面を参照して説明する。
まず、図２は、携帯電話機の全体の構成を外観斜視図として示している。携帯電話機１において、本体２の表面側には、通話開始キー３ａ、リダイヤル／クリアキー３ｂ、通話終了／電源キー３ｃ、「０」〜「９」の数字キー３ｄ（図２では「３」を代表して符号を付している）、＊（アスタリスク）キー３ｅ、＃（シャープ）キー３ｆ、メニュー／決定キー３ｇ、文字キー３ｈおよび上下左右のカーソルキー３ｉの各種のキーが配列されてなるキーパッド３（本発明でいう削除方法指定手段）が配設されている。
【００３６】
また、本体２の表面側には、キーパッド３の上方に位置して、ディスプレイ４が配設されており、ディスプレイ４の上方に位置して、受話音声を出力するレシーバ５および着信したときに点滅するＬＥＤ６が配設されている。さらに、本体２の表面側には、キーパッド３の下方に位置して、送話音声を入力するマイクロホン７が配設されている。そして、アンテナ８は、本体２の上端部に引出し可能に配設されており、また、フリップ９は、本体２のキーパッド３を開閉可能に覆うように配設されている。
【００３７】
次いで、図３は、上記した携帯電話機１の電気的な構成を機能ブロック図として示している。
本体２の内部には、マイクロコンピュータを主体として構成されてなる制御回路１０（本発明でいう制御手段）が配設されており、制御回路１０には、無線回路１１、音声入出力回路１２、キー操作識別回路１３、ディスプレイ制御回路１４、ＬＥＤ制御回路１５の各回路ならびにメモリ１６（本発明でいう着信履歴データ保存手段）が接続されている。
【００３８】
そして、無線回路１１には、上記アンテナ８が接続され、音声入出力回路１２には、上記マイクロホン７および上記レシーバ５が接続されている。また、キー操作識別回路１３には、上記キーパッド３が接続され、ディスプレイ制御回路１４には、上記ディスプレイ４が接続され、ＬＥＤ制御回路１５には、上記ＬＥＤ６が接続されている。
【００３９】
このような構成によれば、マイクロホン７は、外部から送話音声を入力すると、入力した送話音声を音声信号から電気信号に変換して送信信号を生成し、音声入出力回路１２は、マイクロホン７から送信信号を入力すると、入力した送信信号を音声処理し、無線回路１１は、音声入出力回路１２から制御回路１０を通じて送信信号を入力すると、入力した送信信号を無線処理してアンテナ８に出力し、そして、アンテナ８は、無線回路１１から送信信号を入力すると、入力した送信信号を所定の通信周波数帯域（例えば８００ＭＨｚ帯域）の送信電波として放射する。
【００４０】
また、無線回路１１は、アンテナ８が所定の通信周波数帯域（例えば８００ＭＨｚ帯域）の電波を受信電波として捕捉し、それに応じて、アンテナ８から受信電波を入力すると、入力した受信電波を無線処理して受信信号を生成し、音声入出力回路１２は、無線回路１１から制御回路１０を通じて受信信号を入力すると、入力した受信信号を音声処理し、そして、レシーバ５は、音声入出力回路１２から受信信号を入力すると、入力した受信信号を電気信号から音声信号に変換して受話音声を生成し、生成した受話音声を外部に出力する。
【００４１】
キー操作識別回路１３は、ユーザがキーを操作したときに、キーパッド３からキー操作信号を入力すると、入力したキー操作信号を識別し、ユーザが操作したキーを示すキー操作識別信号を制御回路１０に出力し、制御回路１０は、キー操作識別回路１３からキー操作識別信号を入力すると、入力したキー操作識別信号を解読する。
【００４２】
ディスプレイ制御回路１４は、制御回路１０から表示指令を入力すると、入力した表示指令に応じて表示情報をディスプレイ４に表示させ、また、ＬＥＤ制御回路１５は、制御回路１０から点滅指令を入力すると、入力した点滅指令に応じてＬＥＤ６を点滅させる。
【００４３】
メモリ１６は、着信履歴機能として最大で２０件の着信履歴データを保存することが可能に構成されている。この場合、１件分の着信履歴データは、図５に示すように、着信した日時を示す着信日時、相手先の電話番号を示す相手先電話番号、相手先電話番号に対応してメモリダイヤルに登録している登録名および着信に対して応答したか否かを示す着信種別の情報要素を１ブロック（ファイル）として構成されている。尚、図５では、相手先電話番号の欄に示している「×」は、使用が許可されている番号である。
【００４４】
この場合、メモリ１６は、発信側で発信者電話番号通知サービスを許可していれば、相手先電話番号を保存するが、発信側で発信者電話番号通知サービスを拒否していれば、相手先電話番号を保存することはなく、また、相手先電話番号に対応してメモリダイヤルに登録名を登録してあれば、登録名を保存するが、登録名を登録していなければ、登録名を保存することはない。
【００４５】
そして、制御回路１０は、制御プログラムを実行することにより、各種の処理を実行し、その一つとして、以下に示す処理を実行する。
すなわち、制御回路１０は、メモリ１６が保存可能な最大件数である２０件の着信履歴データを保存している状況において新たに他の着信が発生すると、２０件の着信履歴データのうちのいずれかの１件の着信履歴データを削除し、つまり、２０件の着信履歴データのうちの１９件の着信履歴データを継続して保存し、新たな着信に係る着信履歴データを追加して保存することが可能である。
【００４６】
さて、ここで、メモリ１６が保存している着信履歴データのうちのいずれかの着信履歴データを継続して保存しておく方法としては、通常着信であるか不在着信であるかに拘らず着信日時が最も古い着信履歴データを優先して削除することによって、着信日時が新しい着信履歴データを優先して継続して保存しておく「日時優先」の保存モード、着信日時が最も古い通常着信の着信履歴データを優先して削除することによって、着信日時が新しい不在着信の着信履歴データを優先して継続して保存しておく「不在着信優先」の保存モード、着信日時が最も古い不在着信の着信履歴データを優先して削除することによって、着信日時が新しい通常着信の着信履歴データを優先して継続して保存しておく「通常着信優先」の保存モードの３つの保存モードがある。
【００４７】
そして、制御回路１０は、これら３つの保存モードのうちのいずれかの保存モードを選択して設定することにより、設定している保存モードにしたがって処理を実行する。
【００４８】
次に、上記した構成の作用について、図１および図４〜図１６を参照して説明する。
図４は、制御回路１０が上記した「日時優先」の保存モード、「不在着信優先」の保存モードおよび「通常着信優先」の保存モードのうちのいずれかの保存モードを選択して設定する際のディスプレイ４における表示画面の遷移を示している。
【００４９】
まず、ユーザが「着信履歴保存」の表示画面を読出すためのキーを操作すると、制御回路１０は、ディスプレイ制御回路１４に表示指令を出力することにより、「着信履歴保存」の表示画面をディスプレイ４に表示させる（図４中、画面１参照）。このとき、制御回路１０は、その時点で設定している保存モード（ここでは、「日付優先」の保存モード）を表示させる。
【００５０】
次いで、この状態から、ユーザがメニュー／決定キー３ｇを操作すると、制御回路１０は、「優先条件設定」の表示画面をディスプレイ４に表示させ、その時点で設定している保存モード（ここでは、「日付優先」の保存モード）を反転表示させると共に、「日付優先」の保存モード、「不在着信優先」の保存モードおよび「通常着信優先」の保存モードのうちのいずれかの保存モードを選択して設定可能であることを表示させる（図４中、画面２参照）。尚、図４では、反転表示している部分を破線にて囲むことにより示している。
【００５１】
さて、この状態において、ユーザは、上下左右のカーソルキー３ｉを操作することにより、「日付優先」の保存モード、「不在着信優先」の保存モードおよび「通常着信優先」の保存モードのうちのいずれかの保存モードを選択することができる。
【００５２】
ここで、ユーザが例えば上下左右のカーソルキー３ｉを操作し、「不在着信優先」の保存モードを選択し（図４中、画面３参照）、次いで、メニュー／決定キー３ｇを操作すると、制御回路１０は、その時点で設定している「日付優先」の保存モードに代わって、新たに選択された「不在着信優先」の保存モードを設定し、「設定しました」の表示画面をディスプレイ４に表示させる（図４中、画面４参照）。
【００５３】
そして、制御回路１０は、所定時間（例えば２秒）が経過したのち、「着信履歴保存」の表示画面をディスプレイ４に再度表示させ、このとき、新たに設定した保存モードが「不在着信優先」の保存モードであることを表示させる（図４中、画面５参照）。
【００５４】
また、ユーザが例えば上下左右のカーソルキー３ｉを操作し、「通常着信優先」の保存モードを選択し（図４中、画面６参照）、次いで、メニュー／決定キー３ｇを操作すると、制御回路１０は、その時点で設定している「日付優先」の保存モードに代わって、新たに選択された「通常着信優先」の保存モードを設定し、「設定しました」の表示画面をディスプレイ４に表示させる（図４中、画面７参照）。
【００５５】
そして、制御回路１０は、所定時間（例えば２秒）が経過したのち、「着信履歴保存」の表示画面をディスプレイ４に再度表示させ、このとき、新たに設定した保存モードが「通常着信優先」の保存モードであることを表示させる（図４中、画面８参照）。
【００５６】
これに対して、ユーザが「日付優先」の保存モードを選択し（図４中、画面２参照）、次いで、メニュー／決定キー３ｇを操作すると、制御回路１０は、その時点で設定している「日付優先」の保存モードを継続して設定し、「設定しました」の表示画面をディスプレイ４に表示させる（図４中、画面９参照）。
【００５７】
そして、制御回路１０は、所定時間（例えば２秒）が経過したのち、「着信履歴保存」の表示画面をディスプレイ４に再度表示させ、このとき、保存モードが「日付優先」の保存モードであることを表示させる（図４中、画面１０参照）。
【００５８】
以上のようにして、制御回路１０は、ユーザがキーを操作することに応じて、「日付優先」の保存モード、「不在着信優先」の保存モードおよび「通常着信優先」の保存モードのうちのいずれかの保存モードを選択して設定し、これ以降、設定した保存モードにしたがって、以下に説明する処理を実行する。
【００５９】
次に、図１は、着信が発生した際に、制御回路１０が実行する処理の内容をフローチャートにして示している。尚、ここでは、前提として、メモリ１６は、保存可能な最大件数である２０件の着信履歴データを保存しているものとする。
【００６０】
まず、制御回路１０は、着信を検出すると、ステップＳ１において「ＹＥＳ」と判定し、その時点で設定している保存モードを判定する（ステップＳ２）。
【００６１】
さて、ここで、制御回路１０は、「日付優先」の保存モードを設定していれば、メモリ１６が保存している２０件の着信履歴データのうちの着信種別が通常着信であるか不在着信であるかに拘らず着信日時が最も古い着信履歴データを優先して削除し（ステップＳ３）、新たに発生した着信に係る着信履歴データを保存する（ステップＳ４）。
【００６２】
具体的には、制御回路１０は、新たに着信が発生すると、メモリ１６が保存している２０件の着信履歴データが、例えば図５に示すように、通常着信の着信履歴データおよび不在着信の着信履歴データが混在している状況にあると、通常着信の着信履歴データおよび不在着信の着信履歴データを区別することなく、着信日時が最も古い着信履歴データ、つまり、着信日時が９９年１１月１８日、１４時２６分である２０件目の着信履歴データを優先して削除し、図６に示すように、新たに発生した着信に係る着信履歴データとして着信日時が９９年１１月２０日、１２時３５分である着信履歴データを１件目に保存する。
【００６３】
このように、ユーザが「日付優先」の保存モードを選択して設定すると、着信種別が通常着信であるか不在着信であるかに拘らず、着信日時が最も古い着信履歴データを優先して削除することにより、その結果として、着信日時が新しい着信履歴データを優先して継続して保存しておくことが可能になる。
【００６４】
これに対して、制御回路１０は、「不在着信優先」の保存モードを設定していれば、新たに発生した着信の着信種別を判定し（ステップＳ５）、次いで、メモリ１６が保存している２０件の着信履歴データのうちに通常着信の着信履歴データが存在するか否かを判定する（ステップＳ６，Ｓ７）。
【００６５】
さて、制御回路１０は、新たに発生した着信の着信種別が不在着信であり、且つ、メモリ１６が保存している２０件の着信履歴データのうちに通常着信の着信履歴データが存在していれば、ステップＳ６において「ＹＥＳ」と判定し、着信日時が最も古い通常着信の着信履歴データを優先して削除し（ステップＳ８）、新たに発生した着信に係る着信履歴データを保存する（ステップＳ９）。
【００６６】
具体的には、制御回路１０は、新たに着信種別が不在着信の着信が発生すると、メモリ１６が保存している２０件の着信履歴データが、上記した図５に示すように、通常着信の着信履歴データおよび不在着信の着信履歴データが混在している状況にあると、着信日時が最も古い通常着信の着信履歴データ、つまり、着信日時が９９年１１月１８日、１７時１５分である１８件目の通常着信の着信履歴データを優先して削除し、図７に示すように、新たに発生した着信に係る着信履歴データとして着信日時が９９年１１月２０日、１２時３５分である不在着信の着信履歴データを１件目に保存する。
【００６７】
また、制御回路１０は、新たに発生した着信の着信種別が不在着信であり、且つ、メモリ１６が保存している２０件の着信履歴データのうちに通常着信の着信履歴データが存在してなく、つまり、２０件の着信履歴データが全て不在着信の着信履歴データであれば、ステップＳ６において「ＮＯ」と判定し、着信日時が最も古い不在着信の着信履歴データを優先して削除し（ステップＳ１０）、新たに発生した着信に係る着信履歴データを保存する（ステップＳ１１）。
【００６８】
具体的には、制御回路１０は、新たに着信種別が不在着信の着信が発生すると、メモリ１６が保存している２０件の着信履歴データが、例えば図８に示すように、不在着信の着信履歴データのみの状況にあると、着信日時が最も古い不在着信の着信履歴データ、つまり、着信日時が９９年１１月１８日、１４時２６分である２０件目の不在着信の着信履歴データを優先して削除し、図９に示すように、新たに発生した着信に係る着信履歴データとして着信日時が９９年１１月２０日、１２時３５分である不在着信の着信履歴データを１件目に保存する。
【００６９】
また、制御回路１０は、新たに発生した着信の着信種別が通常着信であり、且つ、メモリ１６が保存している２０件の着信履歴データのうちに通常着信の着信履歴データが存在していれば、ステップＳ７において「ＹＥＳ」と判定し、着信日時が最も古い通常着信の着信履歴データを優先して削除し（ステップＳ８）、新たに発生した着信に係る着信履歴データを保存する（ステップＳ９）。
【００７０】
具体的には、制御回路１０は、新たに着信種別が通常着信の着信が発生すると、メモリ１６が保存している２０件の着信履歴データが、上記した図５に示すように、通常着信の着信履歴データおよび不在着信の着信履歴データが混在している状況にあると、着信日時が最も古い通常着信の着信履歴データ、つまり、着信日時が９９年１１月１８日、１７時１５分である１８件目の通常着信の着信履歴データを優先して削除し、図１０に示すように、新たに発生した着信に係る着信履歴データとして着信日時が９９年１１月２０日、１２時３５分である通常着信の着信履歴データを１件目に保存する。
【００７１】
そして、制御回路１０は、新たに発生した着信の着信種別が通常着信であり、且つ、メモリ１６が保存している２０件の着信履歴データのうちに通常着信の着信履歴データが存在してなく、つまり、２０件の着信履歴データが全て不在着信の着信履歴データであれば、ステップＳ７において「ＮＯ」と判定し、これ以降、いずれの着信履歴データを削除する処理を実行することなく、処理を終了する。
【００７２】
このように、ユーザが「不在着信優先」の保存モードを選択して設定すると、通常着信の着信履歴データおよび不在着信の着信履歴データが混在して保存されていれば、着信日時が最も古い通常着信の着信履歴データを優先して削除することにより、その結果として、着信日時が新しい不在着信の着信履歴データを優先して継続して保存しておくことが可能になる。
【００７３】
また、通常着信の着信履歴データが保存されてなく、不在着信の着信履歴データのみが保存されていても、着信日時が最も古い不在着信の着信履歴データを優先して削除することにより、その結果として、着信日時が新しい不在着信の着信履歴データを優先して継続して保存しておくことが可能になり、しかも、新たに発生した不在着信の着信履歴データを保存しない状況を回避し、新たに発生した不在着信の着信履歴データを確実に保存することが可能になる。
【００７４】
これに対して、制御回路１０は、「通常着信優先」の保存モードを設定していれば、新たに発生した着信の着信種別を判定し（ステップＳ１２）、次いで、メモリ１６が保存している２０件の着信履歴データのうちに不在着信の着信履歴データが存在するか否かを判定する（ステップＳ１３，Ｓ１４）。
【００７５】
さて、制御回路１０は、新たに発生した着信の着信種別が通常着信であり、且つ、メモリ１６が保存している２０件の着信履歴データのうちに不在着信の着信履歴データが存在していれば、ステップＳ１３において「ＹＥＳ」と判定し、着信日時が最も古い不在着信の着信履歴データを優先して削除し（ステップＳ１５）、新たに発生した着信に係る着信履歴データを保存する（ステップＳ１６）。
【００７６】
具体的には、制御回路１０は、新たに着信種別が通常着信の着信が発生すると、メモリ１６が保存している２０件の着信履歴データが、上記した図５に示すように、通常着信の着信履歴データおよび不在着信の着信履歴データが混在している状況にあると、着信日時が最も古い不在着信の着信履歴データ、つまり、着信日時が９９年１１月１８日、１４時２６分である２０件目の不在着信の着信履歴データを優先して削除し、図１１に示すように、新たに発生した着信に係る着信履歴データとして着信日時が９９年１１月２０日、１２時３５分である通常着信の着信履歴データを１件目に保存する。
【００７７】
また、制御回路１０は、新たに発生した着信の着信種別が通常着信であり、且つ、メモリ１６が保存している２０件の着信履歴データのうちに不在着信の着信履歴データが存在してなく、つまり、２０件の着信履歴データが全て通常着信の着信履歴データであれば、ステップＳ１３において「ＮＯ」と判定し、着信日時が最も古い通常着信の着信履歴データを優先して削除し（ステップＳ１７）、新たに発生した着信に係る着信履歴データを保存する（ステップＳ１８）。
【００７８】
具体的には、制御回路１０は、新たに着信種別が通常着信の着信が発生すると、メモリ１６が保存している２０件の着信履歴データが、例えば図１２に示すように、通常着信の着信履歴データのみの状況にあると、着信日時が最も古い通常着信の着信履歴データ、つまり、着信日時が９９年１１月１８日、１４時２６分である２０件目の通常着信の着信履歴データを優先して削除し、図１３に示すように、新たに発生した着信に係る着信履歴データとして着信日時が９９年１１月２０日、１２時３５分である通常着信の着信履歴データを１件目に保存する。
【００７９】
また、制御回路１０は、新たに発生した着信の着信種別が不在着信であり、且つ、メモリ１６が保存している２０件の着信履歴データのうちに通常着信の着信履歴データが存在していれば、ステップＳ１４において「ＹＥＳ」と判定し、着信日時が最も古い不在着信の着信履歴データを優先して削除し（ステップＳ１５）、新たに発生した着信に係る着信履歴データを保存する（ステップＳ１６）。
【００８０】
具体的には、制御回路１０は、新たに着信種別が不在着信の着信が発生すると、メモリ１６が保存している２０件の着信履歴データが、上記した図５に示すように、通常着信の着信履歴データおよび不在着信の着信履歴データが混在している状況にあると、着信日時が最も古い不在着信の着信履歴データ、つまり、着信日時が９９年１１月１８日、１４時２６分である２０件目の不在着信の着信履歴データを優先して削除し、図１４に示すように、新たに発生した着信に係る着信履歴データとして着信日時が９９年１１月２０日、１２時３５分である不在着信の着信履歴データを１件目に保存する。
【００８１】
そして、制御回路１０は、新たに発生した着信の着信種別が不在着信であり、且つ、メモリ１６が保存している２０件の着信履歴データのうちに不在着信の着信履歴データが存在してなく、つまり、２０件の着信履歴データが全て通常着信の着信履歴データであれば、ステップＳ１４において「ＮＯ」と判定し、これ以降、いずれの着信履歴データを削除する処理を実行することなく、処理を終了する。
【００８２】
このように、ユーザが「通常着信優先」の保存モードを選択して設定すると、不在着信の着信履歴データおよび通常着信の着信履歴データが混在して保存されていれば、着信日時が最も古い不在着信の着信履歴データを優先して削除することにより、その結果として、着信日時が新しい通常着信の着信履歴データを優先して継続して保存しておくことが可能になる。
【００８３】
また、不在着信の着信履歴データが保存されてなく、通常着信の着信履歴データのみが保存されていても、着信日時が最も古い通常着信の着信履歴データを優先して削除することにより、その結果として、着信日時が新しい通常着信の着信履歴データを優先して継続して保存しておくことが可能になり、しかも、新たに発生した通常着信の着信履歴データを保存しない状況を回避し、新たに発生した通常着信の着信履歴データを確実に保存することが可能になる。
【００８４】
ところで、以上は、制御回路１０が「日付優先」の保存モード、「不在着信優先」の保存モードおよび「通常着信優先」の保存モードのうちのいずれかの保存モードを選択して設定し、設定した保存モードにしたがって処理を実行する構成を説明したものであるが、これに限らず、いずれかの保存モードを固定する構成も可能である。
【００８５】
また、通常着信の着信履歴データを優先して削除する処理および不在着信の着信履歴データを優先して削除する処理に優先順位を付して、優先順位にしたがって処理を実行する構成も可能である。以下、通常着信の着信履歴データを優先して削除する処理および不在着信の着信履歴データを優先して削除する処理に優先順位を付した処理について、図１５および図１６を参照して説明する。
【００８６】
すなわち、制御回路１０は、通常着信の着信履歴データを優先して削除する処理の優先順位を第１位に設定し、不在着信の着信履歴データを優先して削除する処理の優先順位を第２位に設定している場合には、図１５にフローチャートとして示す処理を実行する。尚、ここでも、前提として、メモリ１６は、保存可能な最大件数である２０件の着信履歴データを保存しているものとする。
【００８７】
まず、制御回路１０は、着信を検出すると、ステップＳ２１において「ＹＥＳ」と判定し、メモリ１６が保存している２０件の着信履歴データのうちに通常着信の着信履歴データが存在するか否かを判定する（ステップＳ２２）。
【００８８】
さて、制御回路１０は、メモリ１６が保存している２０件の着信履歴データのうちに通常着信の着信履歴データが存在していれば、ステップＳ２２において「ＹＥＳ」と判定し、着信日時が最も古い通常着信の着信履歴データを優先して削除し（ステップＳ２３）、新たに発生した着信に係る着信履歴データを保存する（ステップＳ２４）。
【００８９】
これに対して、制御回路１０は、メモリ１６が保存している２０件の着信履歴データのうちに通常着信の着信履歴データが存在してなく、つまり、２０件の着信履歴データが全て不在着信の着信履歴データであれば、ステップＳ２２において「ＮＯ」と判定し、着信日時が最も古い不在着信の着信履歴データを優先して削除し（ステップＳ２５）、新たに発生した着信に係る着信履歴データを保存する（ステップＳ２６）。
【００９０】
このように、通常着信の着信履歴データを優先して削除する処理の優先順位を第１位に設定し、不在着信の着信履歴データを優先して削除する処理の優先順位を第２位に設定すると、通常着信の着信履歴データおよび不在着信の着信履歴データが混在して保存されていれば、新たに発生した着信の着信種別に拘らず、着信日時が最も古い通常着信の着信履歴データを優先して削除することにより、その結果として、着信日時が新しい不在着信の着信履歴データを優先して継続して保存しておくことが可能になる。
【００９１】
また、通常着信の着信履歴データが保存されてなく、不在着信の着信履歴データのみが保存されていても、着信日時が最も古い不在着信の着信履歴データを優先して削除することにより、その結果として、着信日時が新しい不在着信の着信履歴データを優先して継続して保存しておくことが可能になり、しかも、新たに発生した着信の着信履歴データを保存しない状況を回避し、新たに発生した着信の着信履歴データを確実に保存することが可能になる。
【００９２】
また、これとは逆に、制御回路１０は、不在着信の着信履歴データを優先して削除する処理の優先順位を第１位に設定し、通常着信の着信履歴データを優先して削除する処理の優先順位を第２位に設定している場合には、図１６にフローチャートとして示す処理を実行する。
【００９３】
まず、制御回路１０は、着信を検出すると、ステップＳ３１において「ＹＥＳ」と判定し、メモリ１６が保存している２０件の着信履歴データのうちに不在着信の着信履歴データが存在するか否かを判定する（ステップＳ３２）。
【００９４】
さて、制御回路１０は、メモリ１６が保存している２０件の着信履歴データのうちに不在着信の着信履歴データが存在していれば、ステップＳ３２において「ＹＥＳ」と判定し、着信日時が最も古い不在着信の着信履歴データを優先して削除し（ステップＳ３３）、新たに発生した着信に係る着信履歴データを保存する（ステップＳ３４）。
【００９５】
これに対して、制御回路１０は、メモリ１６が保存している２０件の着信履歴データのうちに不在着信の着信履歴データが存在してなく、つまり、２０件の着信履歴データが全て通常着信の着信履歴データであれば、ステップＳ３２において「ＮＯ」と判定し、着信日時が最も古い通常着信の着信履歴データを優先して削除し（ステップＳ３５）、新たに発生した着信に係る着信履歴データを保存する（ステップＳ３６）。
【００９６】
このように、不在着信の着信履歴データを優先して削除する処理の優先順位を第１位に設定し、通常着信の着信履歴データを優先して削除する処理の優先順位を第２位に設定すると、通常着信の着信履歴データおよび不在着信の着信履歴データが混在して保存されていれば、新たに発生した着信の着信種別に拘らず、着信日時が最も古い不在着信の着信履歴データを優先して削除することにより、その結果として、着信日時が新しい通常着信の着信履歴データを優先して継続して保存しておくことが可能になる。
【００９７】
また、不在着信の着信履歴データが保存されてなく、通常着信の着信履歴データのみが保存されていても、着信日時が最も古い通常着信の着信履歴データを優先して削除することにより、その結果として、着信日時が新しい通常着信の着信履歴データを優先して継続して保存しておくことが可能になり、しかも、新たに発生した着信の着信履歴データを保存しない状況を回避し、新たに発生した着信の着信履歴データを確実に保存することが可能になる。
【００９８】
以上に説明したように本実施例によれば、ユーザが「不在着信優先」の保存モードを選択して設定すると、着信日時が最も古い通常着信の着信履歴データを優先して削除し、これに対して、ユーザが「通常着信優先」の保存モードを選択して設定すると、着信日時が最も古い不在着信の着信履歴データを優先して削除するように構成した。したがって、「不在着信優先」の保存モードおよび「通常着信優先」の保存モードのうちのいずれかを選択して設定することにより、着信日時が新しい不在着信の着信履歴データおよび着信日時が新しい通常着信の着信履歴データのうちのいずれかの着信履歴データを優先して継続して保存しておくことができ、使い勝手の向上を図ることができる。
【００９９】
また、ユーザが「日時優先」の保存モードを選択して設定すると、通常着信であるか不在着信であるかに拘らず着信日時が最も古い着信履歴データを優先して削除するように構成した。したがって、「日時優先」の保存モードを選択して設定することにより、通常着信であるか不在着信であるかに拘らず着信日時が新しい着信履歴データを優先して継続して保存しておくことができ、使い勝手の向上をさらに図ることができる。
【０１００】
また、ユーザが「不在着信優先」の保存モードを選択して設定している状態において、新たに不在着信の着信が発生し、不在着信の着信履歴データのみ保存している状況であっても、着信日時が最も古い不在着信の着信履歴データを優先して削除するように構成した。したがって、着信日時が新しい不在着信の着信履歴データを優先して継続して保存しておくことができ、しかも、新たな不在着信の着信履歴データを確実に保存することができる。
【０１０１】
また、これとは逆に、ユーザが「通常着信優先」の保存モードを選択して設定している状態において、新たに通常着信の着信が発生し、通常着信の着信履歴データのみ保存している状況であっても、着信日時が最も古い通常着信の着信履歴データを優先して削除するように構成した。したがって、着信日時が新しい通常着信の着信履歴データを優先して継続して保存しておくことができ、しかも、新たな通常着信の着信履歴データを確実に保存することができる。
【０１０２】
また、通常着信の着信履歴データを優先して削除する処理の優先順位を第１位に設定し、不在着信の着信履歴データを優先して削除する処理の優先順位を第２位に設定すると、通常着信の着信履歴データおよび不在着信の着信履歴データを混在して保存している状況であれば、新たに発生した着信の着信種別に拘らず、着信日時が最も古い通常着信の着信履歴データを優先して削除するように構成した。したがって、着信日時が新しい不在着信の着信履歴データを優先して継続して保存しておくことができる。
【０１０３】
一方、この場合に、不在着信の着信履歴データのみ保存している状況であれば、着信日時が最も古い不在着信の着信履歴データを優先して削除するように構成した。したがって、着信日時が新しい不在着信の着信履歴データを優先して継続して保存しておくことができ、しかも、新たな着信履歴データを保存しない状況を回避でき、新たな着信履歴データを確実に保存することができる。
【０１０４】
また、不在着信の着信履歴データを優先して削除する処理の優先順位を第１位に設定し、通常着信の着信履歴データを優先して削除する処理の優先順位を第２位に設定すると、通常着信の着信履歴データおよび不在着信の着信履歴データを混在して保存している状況であれば、新たに発生した着信の着信種別に拘らず、着信日時が最も古い不在着信の着信履歴データを優先して削除するように構成した。したがって、着信日時が新しい通常着信の着信履歴データを優先して継続して保存しておくことができる。
【０１０５】
一方、この場合に、通常着信の着信履歴データのみ保存している状況であれば、着信日時が最も古い通常着信の着信履歴データを優先して削除するように構成した。したがって、着信日時が新しい通常着信の着信履歴データを優先して継続して保存しておくことができ、しかも、新たな着信履歴データを保存しない状況を回避でき、新たな着信履歴データを確実に保存することができる。
【０１０６】
本発明は、上記した実施例にのみ限定されるものでなく、次のように変形または拡張することができる。
通信端末としては、携帯電話機に限らず、着信履歴機能を備えたものであれば、例えばＰＤＡ（Personal Digital Assistant）などの他のものであっても良い。
キーの操作手順は、他の手順であっても良い。
メモリが保存可能な着信履歴データの最大件数は、２０件に限らず、他の件数であっても良い。
【図面の簡単な説明】
【図１】本発明の一実施例の制御内容を示すフローチャート
【図２】外観斜視図
【図３】電気的な構成を示す機能ブロック図
【図４】ディスプレイにおける表示画面の遷移を示す図
【図５】着信履歴データを示す図
【図６】図５相当図
【図７】図５相当図
【図８】図５相当図
【図９】図５相当図
【図１０】図５相当図
【図１１】図５相当図
【図１２】図５相当図
【図１３】図５相当図
【図１４】図５相当図
【図１５】図１相当図
【図１６】図１相当図
【符号の説明】
図面中、１は携帯電話機（通信端末）、３はキーパッド（削除方法指定手段）、１０は制御回路（制御手段）、１６はメモリ（着信履歴データ保存手段）である。
【図１】
0004135274.tif 000002
【図２】
0004135274.tif 000003
【図３】
0004135274.tif 000004
【図４】
0004135274.tif 000005
【図５】
0004135274.tif 000006
【図６】
0004135274.tif 000007
【図７】
0004135274.tif 000008
【図８】
0004135274.tif 000009
【図９】
0004135274.tif 000010
【図１０】
0004135274.tif 000011
【図１１】
0004135274.tif 000012
【図１２】
0004135274.tif 000013
【図１３】
0004135274.tif 000014
【図１４】
0004135274.tif 000015
【図１５】
0004135274.tif 000016
【図１６】
0004135274.tif 000017